(57)【要約】【課題】表示画面を備える本体部が生体認証用の撮像装置をさらに備える場合でも、撮像装置が原因で利用者の視界が狭くなることを防止できるヘッドマウント型の表示装置を提供する。【解決手段】利用者の頭部に固定可能な固定部と、利用者に情報を表示する表示画面と利用者自身の画像を撮影する撮像装置とを有する本体部と、固定部が利用者の頭部に固定されたときに、本体部を利用者の眼の前方に保持する保持部と、を備える表示装置において、撮像装置は、撮像装置の光軸が表示画面の法線とは異なる方向を向くように表示画面に対して配置され、本体部は、表示画面が利用者の眼に対向する第１の姿勢と、撮像装置の撮像面が利用者の眼に対向する第２の姿勢と、の間で回動可能に保持部に取り付けられている。【選択図】図４
2017108302.tif 000002
【特許請求の範囲】
【請求項１】
利用者の頭部に固定可能な固定部と、
利用者に情報を表示する表示画面と、利用者自身の画像を撮影する撮像装置と、を有する本体部と、
前記固定部が利用者の頭部に固定されたときに、前記本体部を利用者の眼の前方に保持する保持部と、を備える表示装置であって、
前記撮像装置は、前記撮像装置の光軸が前記表示画面の法線とは異なる方向を向くように前記表示画面に対して配置され、
前記本体部は、前記表示画面が利用者の眼に対向する第１の姿勢と、前記撮像装置の撮像面が利用者の眼に対向する第２の姿勢と、の間で回動可能に前記保持部に取り付けられている、表示装置。
【請求項２】
前記撮像装置は、前記本体部が前記第１の姿勢に保持されているときに、利用者の眼から見て前記表示画面の背後に位置するように、前記表示画面に対して配置されている、請求項１に記載の表示装置。
【請求項３】
前記撮像装置による撮影画像に基づいて利用者の認証を行う認証装置をさらに備える、請求項１または２に記載の表示装置。
【請求項４】
前記本体部は、複数の壁部から形成された箱形状を有する筐体を備え、
前記表示画面が前記筐体の第１の壁部に設置されており、前記撮像装置が前記第１の壁部とは異なる第２の壁部に設置されている、請求項１〜３のいずれか１項に記載の表示装置。
【請求項５】
前記第１の壁部が前記第２の壁部と直交している、請求項４に記載の表示装置。
【請求項６】
前記本体部に設けられ、前記本体部が前記第２の姿勢に保持されているときに利用者の眼を照らす照明装置をさらに備える、請求項１〜５のいずれか１項に記載の表示装置。
【請求項７】
前記本体部は、利用者の左右の眼が並ぶ方向に沿って延びる回動軸線を中心に前記保持部に対して回動可能である、請求項１〜６のいずれか１項に記載の表示装置。
【発明の詳細な説明】
【技術分野】
【０００１】
本発明は、ヘッドマウント型の表示装置に関する。
【背景技術】
【０００２】
近年、液晶ディスプレイ又は有機ＥＬディスプレイ等のディスプレイを有するヘッドマウント型の表示装置が種々提案されている。このような表示装置は一般にヘッドマウントディスプレイと称される。通常、ヘッドマウントディスプレイは、使用者の頭部に固定可能な固定部と、表示画面を備える本体部と、を有している。ヘッドマウントディスプレイには、表示画面が使用者の片方の眼に対向して配置される単眼タイプと、２つの表示画面が利用者の左右の眼のそれぞれに対向して配置される両眼タイプと、が含まれる。
【０００３】
ところで、ヘッドマウントディスプレイには、利用者の虹彩や静脈パターン等の生体情報に基づく利用者認証機能を有するものが含まれる。この種類のヘッドマウントディスプレイの本体部には、利用者に種々の情報を表示する表示画面に加えて、利用者の生体情報を取得する認証用カメラが設置されている。図１は、関連技術による単眼タイプのヘッドマウントディスプレイＤＤが利用者の頭部Ｈに装着された状態を示す上面図である。ヘッドマウントディスプレイＤＤは、利用者の頭部Ｈに固定可能なヘッドバンド型の固定部１００と、表示画面２１００を有する本体部２００と、本体部２００を利用者の眼の前方に保持するアーム部３００と、を備えている。ヘッドマウントディスプレイＤＤは、虹彩パターンに基づく利用者認証機能を有している。そのため、本体部２００は、利用者の虹彩を撮影するデジタルカメラ等の撮像装置４２０と、撮像装置４２０による虹彩の撮影時に利用者の眼球を照らす赤外ＬＥＤ等の照明装置５０と、をさらに有している。
【０００４】
図２は、図１に示したヘッドマウントディスプレイＤＤにおける本体部２００及びアーム部３００の斜視図である。図１及び図２に示す通り、生体認証用の撮像装置４２０及び照明装置５０が表示画面２１００と一緒に本体部２００の後壁部２００Ｒに設置される場合には、後壁部２００Ｒの寸法が撮像装置４２０及び照明装置５０の分だけ左右方向に大きくなる。そのため、図示した例では、後壁部２００Ｒに設置された撮像装置４２０及び照明装置５０が原因で利用者の視界が狭められるおそれがある。撮像装置４２０を本体部２００以外の箇所に設置することも可能ではあるが、虹彩の撮影時には撮像装置４２０が利用者の眼に対向して配置される必要があるので、やはり撮像装置４２０が原因で利用者の視界が狭められるおそれがある。虹彩の撮影時以外には撮像装置４２０を利用者の視界から退避させる機構を採用することも可能ではあるが、その機構が原因でヘッドマウントディスプレイＤＤの構造が複雑化するおそれがある。
【先行技術文献】
【特許文献】
【０００５】
【特許文献１】特開２００４−２３６１０１号公報
【発明の概要】
【発明が解決しようとする課題】
【０００６】
本出願の目的は、表示画面を備える本体部が生体認証用の撮像装置をさらに備える場合でも、撮像装置が原因で利用者の視界が狭くなることを防止できるヘッドマウント型の表示装置を提供することである。
【課題を解決するための手段】
【０００７】
実施形態の一観点によれば、利用者の頭部に固定可能な固定部と、利用者に情報を表示する表示画面と利用者自身の画像を撮影する撮像装置とを有する本体部と、固定部が利用者の頭部に固定されたときに、本体部を利用者の眼の前方に保持する保持部と、を備える表示装置であって、撮像装置は、撮像装置の光軸が表示画面の法線とは異なる方向を向くように表示画面に対して配置され、本体部は、表示画面が利用者の眼に対向する第１の姿勢と、撮像装置の撮像面が利用者の眼に対向する第２の姿勢と、の間で回動可能に保持部に取り付けられている、表示装置が提供される。
【発明の効果】
【０００８】
開示の表示装置によれば、表示画面が利用者の眼に対向するときには、生体認証用の撮像装置が利用者の眼から見て表示画面の背後に位置するように、撮像装置を表示画面に対して配置することが可能になる。従って、開示の表示装置によれば、表示画面を備える本体部が生体認証用の撮像装置をさらに備える場合でも、利用者の視界における本体部の寸法を小型化することができる。その結果、開示の表示装置によれば、生体認証用の撮像装置が原因で利用者の視界が狭められるのを防止することができる。
【図面の簡単な説明】
【０００９】
【図１】図１は、関連技術による単眼タイプのヘッドマウントディスプレイが利用者の頭部に装着された状態を示す上面図である。
【図２】図２は、図１に示したヘッドマウントディスプレイにおけるアーム部及び本体部の斜視図である。
【図３】図３は、本出願の一実施例による表示装置が利用者の頭部に装着された状態を示す斜視図である。
【図４】図４は、図３の要部の上面図である。
【図５】図５は、図３及び図４に示した表示装置の本体部及び保持部の斜視図である。
【図６】図６は、図４中のＶＩ−ＶＩ線に沿った本体部の断面図である。
【図７】図７は、図４中のＶＩＩ−ＶＩＩ線に沿った本体部の断面図である。
【図８】図８は、本実施例による表示装置のシステム構成を示すブロック図である。
【図９】図９は、図３の要部を別の角度から見た斜視図である。
【図１０】図１０は、図９に示した本体部が第２の姿勢にされた状態の表示装置を示す斜視図である。
【図１１】図１１は、図５に示した本体部及び保持部の分解斜視図である。
【図１２】図１２は、図１１に示した本体部及び保持部を別の角度から見た分解斜視図である。
【図１３】図１３は、図１１に示した回動機構部を拡大した斜視図である。
【図１４】図１４は、図１３に示した回動機構部を別の角度から見た斜視図である。
【図１５】図１５は、第２撮像装置が筐体の下壁部に設置された表示装置の実施例を示す斜視図である。
【発明を実施するための形態】
【００１０】
以下、図３〜図１５を参照して、本出願による表示装置の実施の形態を、具体的な実施例に基づいて詳細に説明する。図３は、本出願の一実施例による表示装置Ｄが利用者の頭部Ｈに装着された状態を示す斜視図である。表示装置Ｄは、利用者の頭部Ｈに固定可能なヘッドバンド型の固定部１と、利用者に種々の情報を表示可能なディスプレイを有する本体部２と、を備えている。
【００１１】
表示装置Ｄの固定部１は、利用者の後頭部Ｈ１に対向して配置されるＣ字形状のフレーム１０と、フレーム１０の所定の箇所に架け渡された複数のベルト１１と、を含んでいる。利用者は各ベルト１１の長さを調節することによって固定部１を自身の頭部Ｈに確実に固定することができる。Ｃ字形状のフレーム１０の一方の端部には、複数の関節を有するアーム１２が取り付けられており、アーム１２の先端部にはデジタルカメラ等の撮像装置４１が取り付けられている。撮像装置４１は利用者の視界の少なくとも一部分に対応する画像を撮影するのに用いられる。利用者はアーム１２の関節を曲げることによって撮像装置４１の向きを調節することができる。
【００１２】
表示装置Ｄは、利用者の音声入力を受け付ける不図示のマイクと、利用者に音声情報を提供する不図示のスピーカーと、種々の無線通信規格に従って外部のコンピュータと通信する不図示の通信装置と、をさらに備えている。マイクは例えば本体部２に内蔵されることができ、スピーカーは例えば固定部１のフレーム１０に装着されることができる。通信装置は例えば本体部２又はフレーム１０に内蔵されることができる。表示装置Ｄの各部に電力を供給するバッテリーも本体部２又はフレーム１０に内蔵されることができる。
【００１３】
図４は、図３の要部の上面図である。図３及び図４に示す通り、表示装置Ｄは、固定部１が利用者の頭部Ｈに固定されたときに本体部２を利用者の眼の前方に保持する保持部３をさらに備えている。保持部３は、固定部１のフレーム１０に回動可能に連結された基端部を有する第１アーム３１と、利用者の眼の前方の空間に向かって伸びる第２アーム３２と、第１アーム３１の先端部を第２アーム３２の基端部に連結する関節部３３と、を有している。関節部３３は第２アーム３２を第１アーム３１に対して自在に回動させるための複数の回動軸線を有している。保持部３は第２アーム３２の先端部に回動可能に連結された取付部３４をさらに有しており、本体部２は後述する回動機構部を介して取付部３４に取り付けられている。利用者は、保持部３の各部を対応する回動軸線の周りで回動させることによって、自身の眼に対する本体部２の位置を調節することができる。
【００１４】
図４に示す通り、本体部２は、複数の壁部から形成された箱形状を有する筐体２０と、筐体２０内に配置されたディスプレイ２１と、を備えている。ディスプレイ２１は、例えば液晶ディスプレイ又は有機ＥＬディスプレイであり、利用者に種々の情報を表示する平板形状の表示画面２１０を備えている。図５は、図３及び図４に示した表示装置Ｄの本体部２及び保持部３の斜視図である。保持部３は、固定部が利用者の頭部に固定されたときに、ディスプレイの表示画面２１０が利用者の眼に対向するように本体部２を保持することができる。
【００１５】
図６は、図４中のＶＩ−ＶＩ線に沿った本体部２の断面図である。図７は、図４中のＶＩＩ−ＶＩＩ線に沿った断面図である。図６及び図７に示す通り、ディスプレイ２１の表示画面２１０は、筐体２０の後壁部２０Ｒの内面に設置されている。筐体２０の後壁部２０Ｒは、筐体２０を形成する複数の壁部のうちの、本体部２が図３及び図４に示す姿勢で保持されているときに利用者の眼に対向する壁部である。筐体２０の後壁部２０Ｒは、表示画面２１０を保護するための透明板を備えている。ディスプレイ２１は、表示画面２１０が後壁部２０Ｒと平行になるように筐体２０に装着されている。表示画面２１０に表示される情報は、例えば、上記の撮像装置４１による撮影画像に種々の付加情報を重ね合わせて生成した合成画像である。この合成画像は、例えば、撮影画像に含まれる機械又は器具等の対象物に近接する箇所に、対象物の仕様又は操作方法等に関する付加情報を重ね合わせて生成したものである。
【００１６】
図８は、本実施例による表示装置Ｄのシステム構成を示すブロック図である。表示装置Ｄは、撮像装置４１及びディスプレイ２１に加えて、ＡＲ技術を用いて上記の合成画像を生成する画像処理装置２２を備えている。ＡＲとは「Ａｕｇｍｅｎｔｅｄ  Ｒｅａｌｉｔｙ」の略称である。表示装置Ｄは、種々のデータを格納する記憶装置２３をさらに備えている。記憶装置２３は、例えばＥＥＰＲＯＭ又はフラッシュメモリ等の不揮発性メモリである。ＥＥＰＲＯＭは「Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ」の略称である。記憶装置２３は、例えば、上記の合成画像の生成に用いられる付加情報のデータを格納している。画像処理装置２２及び記憶装置２３は例えば本体部２の筐体２０又は固定部１のフレームに内蔵されることができる。
【００１７】
図４〜図６を参照すると、本体部２の筐体２０は、利用者自身の認証画像を撮影するのに使用される撮像装置４２をさらに内蔵している。図３に示した撮像装置４１との区別のために、筐体２０に内蔵された撮像装置４２を以下では第２撮像装置４２と称している。第２撮像装置４２は、例えば、ＣＣＤイメージセンサ又はＣＭＯＳイメージセンサ等の撮像素子と、レンズを含む光学系と、を有するデジタルカメラである。図６に示す通り、第２撮像装置４２は、その光学系の光軸ＯＡがディスプレイ２１の表示画面２１０の法線ＮＬとは異なる方向を向くように、ディスプレイ２１に対して配置されている。
【００１８】
特に、第２撮像装置４２は、後壁部２０Ｒとは異なる筐体２０の壁部に設置されている。例えば、第２撮像装置４２は、後壁部２０Ｒと交わる筐体２０の上壁部２０Ｕの内面に設置されている。図６に示す本体部２では、筐体２０の上壁部２０Ｕが後壁部２０Ｒと直交している。そして、第２撮像装置４２の光学系の光軸ＯＡは、上壁部２０Ｕに設けられた小孔Ｔ１を通るように配置され、かつ上壁部２０Ｕと直交するように方向付けられている。つまり、第２撮像装置４２の撮像面ＩＳは、筐体２０の上壁部２０Ｕと平行に配置されている。ここでいう撮像面ＩＳは、第２撮像装置４２の光学系を通った光が結像する面であり、例えば、第２撮像装置４２の撮像素子のセンサ面である。ただし、第２撮像装置４２の撮像面ＩＳは上壁部２０Ｕに対して傾斜していてもよい。
【００１９】
図４、図５及び図７を参照すると、本体部２の筐体２０は、第２撮像装置４２が利用者の眼を撮影するときに利用者の眼に光線Ｌを照射する１つ又は複数の照明装置５をさらに内蔵している。照明装置５は、赤外ＬＥＤのような発光素子を備えている。図４、図５及び図７に示す例では、２つの照明装置５が筐体２０の上壁部２０Ｕに設置されている。図７に示す通り、照明装置５は、その発光素子から発生された光線Ｌが、上壁部２０Ｕに設けられた小孔Ｔ２を通るように、上壁部２０Ｕに対して配置されている。
【００２０】
本実施例の表示装置Ｄにおいて、第２撮像装置４２は、例えば、利用者の虹彩を撮影するのに用いられる。図８を参照すると、本実施例の表示装置Ｄは、第２撮像装置４２の撮影画像から利用者の虹彩パターンを取得する生体情報取得装置２４をさらに備えている。生体情報取得装置２４は、利用者の静脈パターン又は網膜パターンのような他の生体情報を撮影画像から取得することもできる。本実施例の表示装置Ｄは、種々のパターン認証技術を用いて利用者の生体認証を行う認証装置２５をさらに備えている。認証装置２５は、生体情報取得装置２４で取得した利用者の生体情報が、予め記憶装置２３に登録されたデータと一致するかどうかを判定する機能を有している。生体情報取得装置２４及び認証装置２５は例えば本体部２の筐体２０又は固定部１のフレーム１０に内蔵されることができる。
【００２１】
さらに、本実施例の表示装置Ｄは、それに実装された電子装置の各々の動作を制御する制御装置２６を備えている。例えば、制御装置２６は、認証装置２５による利用者認証の結果に応じて画像処理装置２２等の動作を制御することができる。例えば、制御装置２６は、利用者認証が失敗だった場合（つまり、取得した生体情報が登録データと一致しなかった場合）には画像処理装置２２の機能をオフにする制御を実行することができる。この場合には、撮像装置４１の撮影画像に付加情報が合成されることはないので、撮像装置４１の撮影画像が表示画面２１０にそのまま表示されることになる。或いは、利用者認証が失敗だったことを通知する所定のメッセージが撮影画像と一緒に表示画面２１０に表示されてもよい。制御装置２６は、利用者認証が失敗だった場合には、ディスプレイ２１の機能をオフにする制御を実行してもよいし、ディスプレイ２１を含む表示装置Ｄ内の全ての電子装置の機能をオフにする制御を実行してもよい。
【００２２】
上述した通り、本実施例の表示装置Ｄでは、表示画面２１０の法線ＮＬと第２撮像装置４２の光学系の光軸ＯＡが互いに異なる方向を向いているので、表示画面２１０と第２撮像装置４２の撮像面ＩＳが同一の方向を向くことはない。従って、本実施例の表示装置Ｄでは、本体部２が第１の姿勢に保持されているときには、第２撮像装置４２が利用者の眼から見て表示画面２１０の背後に位置するように、第２撮像装置４２を表示画面２１０に対して配置することが可能になる。その結果、本体部２が第１の姿勢に保持されているときに利用者の視界に入り込む本体部２の寸法を小さくすることができるので、本体部２に設置された第２撮像装置４２が原因で利用者の視界が狭められるのを防止することができる。特に、図５〜図７等に示した構造の本体部２を有する表示装置Ｄによれば、本体部２が第１の姿勢に保持されているときには、第２撮像装置４２が利用者の眼からは見えなくなる。
【００２３】
さらに、本実施例の表示装置Ｄでは、筐体２０の後壁部２０Ｒに第２撮像装置４２を設置する領域を設ける必要がないので、表示画面２１０の法線ＮＬに垂直な方向における後壁部２０Ｒの寸法を小さくすることができる。これに対して、図２に示した関連技術のヘッドマウントディスプレイＤＤでは、撮像装置４２０及び照明装置５０が表示画面２１００と同じ本体部２００の壁部（後壁部２００Ｒ）に設置されている。そのため、関連技術のヘッドマウントディスプレイＤＤでは、後壁部２００Ｒの寸法が比較的大きくなり、それが原因で利用者の視界が狭くなることがあった。
【００２４】
図４を参照すると、表示装置Ｄの保持部３は、ディスプレイ２１及び第２撮像装置４２を内蔵する本体部２を、所定の回転軸線ＲＡの周りで回動可能に保持している。特に、保持部３は、利用者の眼がディスプレイ２１の表示画面２１０と対向する第１の姿勢と、利用者の眼が第２撮像装置４２の撮像面ＩＳと対向する第２の姿勢と、の間で本体部２が回動できるように本体部２を保持している（図６も参照）。本体部２の回動軸線ＲＡは、例えば、利用者の左右の眼が並んだ方向に沿って伸びている。図３及び図４に示した本体部２の姿勢が、上述した第１の姿勢である。図９は、図３の要部を別の角度から見た斜視図である。つまり、図９は、本体部２が第１の姿勢にされた状態の表示装置Ｄを示している。本体部２が第１の姿勢に保持されているときには、第２撮像装置４２が利用者の眼から見て表示画面２１０の背後に位置するので、利用者の視界が第２撮像装置４２によって狭められることはない。本体部２が第１の姿勢にされているときには、利用者はディスプレイ２１の表示画面２１０を見ることはできるが、第２撮像装置４２による利用者認証を受けることはできない。
【００２５】
図１０は、図９に示した本体部２が第２の姿勢にされた状態の表示装置Ｄを示す斜視図である。本体部２が第２の姿勢にされているときには、第２撮像装置４２の撮像面ＩＳが利用者の眼に対向している（図６も参照）。そのため、第２撮像装置４２は利用者の生体情報を撮影することができるので、認証装置２５は撮影画像中の生体情報に基づく利用者認証を実施することができる。本体部２が第２の姿勢にされているときには、利用者はディスプレイ２１の表示画面２１０を見ることはできない。ただし、利用者は、利用者認証が終わり次第、本体部２を第１の姿勢に戻すことができる。図８に示した制御装置２６は、本体部２が第１の姿勢から第２の姿勢に切り替えられたときに照明装置５が点灯し、本体部２が第２の姿勢から第１の姿勢に切り替えられたときに照明装置５が消灯するように照明装置５を制御することができる。
【００２６】
ところで、図２に示した関連技術のヘッドマウントディスプレイＤＤでは、表示画面２１００が本体部２００の後壁部２００Ｒの中央部分に設置されているので、撮像装置４２０の設置箇所が後壁部２００Ｒの中央部分の外側に限定されていた。そのため、関連技術のヘッドマウントディスプレイＤＤでは、生体認証用の撮像装置４２を利用者の眼の真正面に配置することができず、生体情報の認識に要する時間が長くなったり、生体情報の認識精度が低下したりすることがあった。これに対して、本実施例の表示装置Ｄでは、筐体２０の上壁部２０Ｕにおける第２撮像装置４２の設置箇所が限定されることはないので、第２撮像装置４２を利用者の眼の真正面に配置することができる。従って、本実施例の表示装置Ｄによれば、生体情報の認識に要する時間を短縮できるとともに、生体情報の認識精度を向上させることができる。
【００２７】
図１１は、図５に示した本体部２及び保持部３の分解斜視図である。図１２は、図１１に示した本体部２及び保持部３を別の角度から見た分解斜視図である。図１１及び図１２に示す通り、保持部３は、上述した第１の姿勢と第２の姿勢との間で本体部２を回動可能に保持する回動機構部６を備えている。図１３は、図１１に示した回動機構部６を拡大した斜視図である。図１４は、図１３に示した回動機構部６を別の角度から見た斜視図である。図１３及び図１４に示す通り、回動機構部６は、筐体に固定される回動軸部６１と、回動軸部６１を回転軸線ＲＡの周りで回動可能に支持する軸受部６２と、を含んでいる。図１１を参照すると、本体部２に対向する取付部３４の面には軸受部６２に対応する形状の凹部３４Ｃが設けられており、軸受部６２は取付部３４の凹部３４Ｃに嵌め込まれて固定されている。図１２を参照すると、取付部３４に対向する筐体２０の側部には回動軸部６１に対応する形状の凹部２０Ｃが設けられており、回動軸部６１は筐体２０の凹部２０Ｃに嵌め込まれて固定されている。
【００２８】
本出願に係る表示装置は、上述した実施例のみに限定されるものではなく、特許請求の範囲に記載された範囲内で種々改変されることができる。例えば、第２撮像装置４２の光軸ＯＡが表示画面２１０の法線ＮＬとは異なる方向を向いている限りは、第２撮像装置４２が筐体２０の上壁部２０Ｕとは異なる箇所に設置されてもよい。図１５は、第２撮像装置４２が筐体２０の下壁部２０Ｂに設置された表示装置Ｄの実施例を示す斜視図である。図１５は、本体部２が第２の姿勢にされた状態の表示装置Ｄを示している。図９及び図１０に示す実施例では、表示画面２１０が下向きになるように本体部２を回動することによって本体部２を第１の姿勢から第２の姿勢に切り替えている。これに対して、図１５に示す実施例では、表示画面２１０が上向きになるように本体部２を回動することによって本体部２を第１の姿勢から第２の姿勢に切り替えている。
【００２９】
以上、本出願を特にその好ましい実施の形態を参照して詳細に説明した。本出願の容易な理解のために、本出願の具体的な形態を以下に付記する。
【００３０】
（付記１）  利用者の頭部に固定可能な固定部と、
利用者に情報を表示する表示画面と、利用者自身の画像を撮影する撮像装置と、を有する本体部と、
前記固定部が利用者の頭部に固定されたときに、前記本体部を利用者の眼の前方に保持する保持部と、を備える表示装置であって、
前記撮像装置は、前記撮像装置の光軸が前記表示画面の法線とは異なる方向を向くように前記表示画面に対して配置され、
前記本体部は、前記表示画面が利用者の眼に対向する第１の姿勢と、前記撮像装置の撮像面が利用者の眼に対向する第２の姿勢と、の間で回動可能に前記保持部に取り付けられている、表示装置。
【００３１】
（付記２）  前記撮像装置は、前記本体部が前記第１の姿勢に保持されているときに、利用者の眼から見て前記表示画面の背後に位置するように、前記表示画面に対して配置されている、付記１に記載の表示装置。
（付記３）  前記撮像装置による撮影画像に基づいて利用者の認証を行う認証装置をさらに備える、付記１または２に記載の表示装置。
（付記４）  前記撮像装置による撮影画像から利用者の生体情報を取得する取得装置をさらに備え、
前記認証装置は、前記取得装置により取得された生体情報と予め用意されたデータとの比較に基づいて利用者の認証を行う、付記３に記載の表示装置。
【００３２】
（付記５）  前記取得装置は、撮像装置による撮影画像から利用者の生体情報として光彩パターン及び静脈パターンの少なくともいずれか一方を取得する、付記４に記載の表示装置。
（付記６）  前記本体部は、複数の壁部から形成された箱形状を有する筐体を備え、
前記表示画面が前記筐体の第１の壁部に設置されており、前記撮像装置が前記第１の壁部とは異なる第２の壁部に設置されている、付記１〜５のいずれかに記載の表示装置。
（付記７）  前記第１の壁部が前記第２の壁部と直交している、付記６に記載の表示装置。
【００３３】
（付記８）  前記本体部に設けられ、前記本体部が前記第２の姿勢に保持されているときに利用者の眼を照らす照明装置をさらに備える、付記１〜７のいずれかに記載の表示装置。
（付記９）  前記本体部が前記第１の姿勢から前記第２の姿勢に切り替えられたときに前記照明装置を点灯し、前記本体部が前記第２の姿勢から前記第１の姿勢に切り替えられたときに前記照明装置を消灯する制御装置をさらに備える、付記８に記載の表示装置。
（付記１０）  前記本体部は、利用者の左右の眼が並んだ方向に沿って延びる回動軸線を中心に前記保持部に対して回動可能である、付記１〜９のいずれかに記載の表示装置。
【符号の説明】
【００３４】
１    固定部
１０    フレーム
１１    ベルト
１２    アーム
２    本体部
２０    筐体
２０Ｂ    下壁部
２０Ｃ    凹部
２０Ｒ    後壁部
２０Ｕ    上壁部
２１    ディスプレイ
２１０    表示画面
２２    画像処理装置
２３    記憶装置
２４    生体情報取得装置
２５    認証装置
２６    制御装置
３    保持部
３１    第１アーム
３２    第２アーム
３３    関節部
３４    取付部
３４Ｃ    凹部
４１    撮像装置
４２    第２撮像装置
５    照明装置
６    回動機構部
６１    回動軸部
６２    軸受部
Ｄ    表示装置
ＩＳ    撮像面
ＮＬ    法線
ＯＡ    光軸
ＲＡ    回転軸線
Ｔ１,Ｔ２    小孔
【図１】
2017108302.tif 000003
【図２】
2017108302.tif 000004
【図３】
2017108302.tif 000005
【図４】
2017108302.tif 000006
【図５】
2017108302.tif 000007
【図６】
2017108302.tif 000008
【図７】
2017108302.tif 000009
【図８】
2017108302.tif 000010
【図９】
2017108302.tif 000011
【図１０】
2017108302.tif 000012
【図１１】
2017108302.tif 000013
【図１２】
2017108302.tif 000014
【図１３】
2017108302.tif 000015
【図１４】
2017108302.tif 000016
【図１５】
2017108302.tif 000017